(57)【特許請求の範囲】
【請求項１】
蛍光灯点灯用安定器を中央寄りに搭載し周縁部にグローブ用の受け具を有する器具本体と、前記安定器を覆い周縁部が前記受け具よりも前記器具本体の中央側に位置するように前記器具本体に取付けられた器形の反射板と、この反射板に取付けられて前記反射板の下面に接近して配置される蛍光灯を支持する蛍光灯支持部と、前記反射板の内側において前記器具本体に固定された固定部品と、前記固定部品と前記反射板との間に介在されて前記反射板に外力を加えるスペーサとを備えた照明器具。
【発明の詳細な説明】
【０００１】
【発明の属する技術分野】
この発明は、照明器具に関するものである。
【０００２】
【従来の技術】
図３は照明器具の分解斜視図、図４は従来の照明器具の組立状態の斜視図、図５（ａ）は図４の消灯時のＡ−Ａ断面図、図５（ｂ）は図４の点灯時のＡ−Ａ断面図である。図３および図４に示すように、金属製の器具本体１に蛍光灯点灯用安定器（充電部）２を搭載し、その安定器２の絶縁性を確保するための金属製の反射板３を備えた照明器具が構成されている。反射板３上には蛍光灯４を支持及び固定するためのランプソケット、金属製の蛍光灯支持部６が存在する。また、図５に示すように、器具本体１に固定された絶縁板７により反射板３の内部において安定器２の絶縁性を確保している。この場合、絶縁板７は器具本体１より垂下され、反射板３との間に隙間が生じるように配置される。蛍光灯４の点灯において、反射板３が熱と重力によって垂れ下がり、また、消灯において、元の位置に戻ろうとし、その一連の反射板の熱膨張、熱収縮によって音が発生してしまうことがある。
【０００３】
【発明が解決しようとする課題】
上記のように従来の照明器具においては、蛍光灯４の点灯と重力によって反射板３が熱膨張し、消灯によって熱収縮し、その変形時に音が発生するという問題がある。
【０００４】
また、現在の反射板形状では、天面形状が平らであるために強度が低い。そのために反射板３近傍において様々な要因から発生したきしみ音やこすれ音などの小さな音が振動となって反射板３に伝わり、器具本体１から反射板３間にある空間で共鳴し増幅されて、より大きな音が発生してしまうことがある。
【０００５】
したがって、この発明の目的は、反射板が熱膨張、熱収縮時の音の発生を防ぐことができ、また音の振動の伝達を防止できる照明器具を提供することである。
【０００６】
【課題を解決するための手段】
上記課題を解決するためにこの発明の請求項１記載の照明器具は、蛍光灯点灯用安定器を中央寄りに搭載し周縁部にグローブ用の受け具を有する器具本体と、前記安定器を覆い周縁部が前記受け具よりも前記器具本体の中央側に位置するように前記器具本体に取付けられた器形の反射板と、この反射板に取付けられて前記反射板の下面に接近して配置される蛍光灯を支持する蛍光灯支持部と、前記反射板の内側において前記器具本体に固定された固定部品と、前記固定部品と前記反射板との間に介在されて前記反射板に外力を加えるスペーサとを備えたものである。
【０００７】
このように、反射板の内側にあり器具本体に固定された固定部品と反射板との間にスペーサを介在させることにより、反射板に外力を加えたので、蛍光灯の点灯前より点灯後に反射板が熱膨張した時と同様に反射板に歪みを持たせることによって、熱膨張、熱収縮時の反射板の変形による音の発生を防ぐことができ、また反射板近傍で発生した音の振動の伝達を防止することができる。
【００１０】
【発明の実施の形態】
この発明の第１の実施の形態を図１および図２に基づいて説明する。図１はこの発明の第１の実施の形態の照明器具の断面図、図２はこの発明の第１の実施の形態の照明器具の斜視図であり、図１は図２のＡ−Ａ断面図である。
【００１１】
図２に示すようにこの照明器具は、蛍光灯点灯用安定器（充電部）２を搭載した金属製の器具本体１と、安定器２を覆うように器具本体１に取付けた金属製の反射板３と、この反射板３に取付けられ蛍光灯４を支持および固定する構造の金属製の蛍光灯支持部６とを備えている。また、反射板３の内側にあり器具本体１に固定された固定部品と反射板３との間にスペーサ８を介在させることにより、反射板３に外力を加え、反射板３の剛性を高めた。
【００１２】
反射板３は上記のように電子式安定器２を覆う充電部保護を兼ねたもので器形に形成されている。また、器具本体１に固定された固定部品である絶縁板７により反射板３の内部において安定器２の絶縁性を確保している。この場合、図１に示すように、絶縁板７は器具本体１より垂下され、反射板３との間に隙間が生じるように配置され、その隙間を埋めるように絶縁板７と反射板３との間にスペーサ８を挟み、反射板３を歪ませている。この際、蛍光灯４の点灯前より点灯後の熱膨張した時と同様の歪みを持たせる。これにより、蛍光灯４の点灯、消灯にかけての温度変化においての反射板３の変形から発生する音を防止し、また反射板３近傍で発生した小さな音の振動の伝達を防止する。なお、器具本体１にはグローブを支持するための受け具９が固着してある。
【００１３】
以上のようにこの実施の形態によれば、スペーサ８により蛍光灯４の点灯、消灯時の温度変化における反射板３の変形を防ぐことによって、熱膨張、熱収縮時の音の発生を防ぐことができ、また音の振動の伝達を防止できるようになる。
【００１４】
この発明の第２の実施の形態を説明する。この照明器具は、第１の実施の形態の図１を参照し、蛍光灯点灯用安定器（充電部）２を搭載した金属製の器具本体１と、安定器２を覆いその絶縁性を保つように器具本体１に取付けた金属製の反射板３と、この反射板３に取付けられ蛍光灯４を支持および固定する構造の金属製の蛍光灯支持部６とを備えている。また、反射板３の天面に凹または凸のリブを設けることにより、反射板３の剛性を高めた。
【００１５】
反射板３は電子式安定器２を覆う充電部保護を兼ねたもので器形に形成されている。この反射板３の蛍光灯４が配置される天面３ａには凹または凸のリブを設けて強度を増し、反射板３近傍で発生した小さな音の振動の伝達を防止する。また、器具本体１に固定された固定部品である絶縁板７により反射板３の内部において安定器２の絶縁性を確保している。この場合、絶縁板７は器具本体１より垂下され、反射板３との間に隙間が生じるように配置されている。
【００１６】
以上のようにこの実施の形態によれば、凹または凸のリブにより反射板３の板厚や材質を変更することなく反射板３の強度を増加させて反射板３の剛性を高め、反射板３近傍で発生した音の伝達が反射板３を伝わり、器具本体１から反射板３間の空間で共鳴することを防ぐことが可能になる。
【００１７】
【発明の効果】
この発明の請求項１記載の照明器具によれば、反射板の内側にあり器具本体に固定された固定部品と反射板との間にスペーサを介在させることにより、反射板に外力を加えたので、蛍光灯の点灯前より点灯後に反射板が熱膨張した時と同様に反射板に歪みを持たせることによって、熱膨張、熱収縮時の反射板の変形による音の発生を防ぐことができ、また反射板近傍で発生した音の振動の伝達を防止することができる。
【図面の簡単な説明】
【図１】この発明の第１の実施の形態の照明器具の断面図である。
【図２】この発明の第１の実施の形態の照明器具の斜視図である。
【図３】照明器具の分解斜視図である。
【図４】従来の照明器具の組立状態の斜視図である。
【図５】（ａ）は図４の消灯時のＡ−Ａ断面図、（ｂ）は図４の点灯時のＡ−Ａ断面図である。
【符号の説明】
１  器具本体
２  安定器
３  反射板
４  蛍光灯
７  絶縁板
８  スペーサ
【図１】
0003959955.tif 000002
【図２】
0003959955.tif 000003
【図３】
0003959955.tif 000004
【図４】
0003959955.tif 000005
【図５】
0003959955.tif 000006